【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
発光素子を基板の表面に備えるランプモジュールと、当該ランプモジュールを受け入れる受入口を表側に有するソケットとを備える照明装置であって、
前記ソケットのランプモジュールを受ける受底は、前記ランプモジュールの基板の裏面と略同じ面形状を有し、
前記ソケットは、前記ランプモジュールが、前記受入口を通じて受け入れられた状態で、当該受け入れ方向と平行な方向を軸として回転されたときに、前記ランプモジュールを前記ソケットの受底に押圧する押圧手段を備えることを特徴とする照明装置。
【請求項２】
前記ソケットは、当該ソケットを表側から見たときに前記受入口の内側に張り出す張り出し部を有すると共に、前記ランプモジュールは、前記ソケットを表側から見たときの受入口の形状に対応するように、前記張り出し部に相反する形状の切欠き部を有し、前記押圧手段が前記張り出し部の裏面に設けられていることを特徴とする請求項１に記載の照明装置。
【請求項３】
前記ソケットは、当該ソケットを表側から見たときに前記受入口の内側に張り出すと共に前記受け入れ方向に弾性変形可能な張り出し部を有すると共に、前記ランプモジュールは、前記ソケットを表側から見たときの受入口の形状に対応するように、前記張り出し部に相反する形状の切欠き部を有し、前記押圧手段が前記張り出し部により構成されていることを特徴とする請求項１に記載の照明装置。
【請求項４】
前記張り出し部の形状は、２種類以上あることを特徴とする請求項２または３に記載の照明装置。
【請求項５】
前記ソケットは、前記ランプモジュールが受け入れられた状態で回転したときに当該回転に連動して、当該ソケットを表側から見たときに前記受入口の内側に張り出す張り出し部を有すると共に、当該張り出し部に前記押圧手段が設けられていることを特徴とする請求項１に記載の照明装置。
【請求項６】
前記ソケットは、前記ランプモジュールが受け入れられた状態で回転したときに当該回転に連動して、当該ソケットを表側から見たときに前記受入口の内側に張り出すと共に前記受け入れ方向に弾性可能な張り出し部を有すると共に、前記押圧手段が当該張り出し部により構成されていることを特徴とする請求項１に記載の照明装置。
【請求項７】
前記ランプモジュールは、その外周縁に切欠き部を有し、前記張り出し部は、前記ランプモジュールを受け入れるときに、前記切欠き部に係合する係合部を備え、前記ランプモジュールの回転に伴う係合部の移動に連動して、前記受入口の内側に張り出すことを特徴とする請求項５または６に記載の照明装置。
【請求項８】
前記切欠き部は複数あり、その形状が２種類以上あることを特徴とする請求項７に記載の照明装置。
【請求項９】
前記ランプモジュールは、前記発光素子に接続された端子を前記基板の表面に備え、
前記押圧手段における前記ランプモジュールと接触する部分が、前記ランプモジュールに給電するための給電端子となっていることを特徴とする請求項２〜８のいずれか１項に記載の照明装置。
【請求項１０】
前記押圧手段は、前記受入口の周方向に沿って略等間隔で設けられていることを特徴とする請求項１〜９のいずれか１項に記載の照明装置。
【請求項１１】
前記基板は、金属板を裏面に備え、ランプモジュールがソケットに保持された状態では、前記金属板が前記ソケットの受底に接触していることを特徴とする請求項１〜１０のいずれか１項に記載の照明装置。
【請求項１２】
前記ランプモジュールの平面視形状は、略円状または、多角形状をしていることを特徴する請求項１〜１１のいずれか１項に記載の照明装置。
【請求項１３】
前記ソケット受底の略中心部に前記ランプモジュールの回転中心部を所定の位置に設定するガイド部分を有することを特徴とする請求項１〜１２のいずれか１項に記載の照明装置。
【請求項１４】
前記ソケットに熱的に結合している放熱具を備えていることを特徴とする請求項１〜１３のいずれか１項に記載の照明装置。
【請求項１５】
前記放熱具は、前記ランプモジュールから発せられた光を、前記基板の表側であって当該基板と直交する方向に集光させる笠部であることを特徴とする請求項１４に記載の照明装置。
【請求項１６】
前記ソケットに保持されているランプモジュールの発光素子を点灯させるための点灯回路部がソケット側に設けられていることを特徴とする請求項１〜１５のいずれか１項に記載の照明装置。
【請求項１７】
請求項１〜１６に記載の照明装置に用いられることを特徴とするランプモジュール。
【手続補正２】
【補正対象書類名】明細書
【補正対象項目名】０００９
【補正方法】変更
【補正の内容】
【０００９】
前記照明装置は、前記ソケットは、当該ソケットを表側から見たときに前記受入口の内側に張り出す張り出し部を有すると共に、前記ランプモジュールは、前記ソケットを表側から見たときの受入口の形状に対応するように、前記張り出し部に相反する形状の切欠き部を有し、前記押圧手段が前記張り出し部の裏面に設けられていることを特徴とし、或いは、前記ソケットは、当該ソケットを表側から見たときに前記受入口の内側に張り出すと共に前記受け入れ方向に弾性変形可能な張り出し部を有すると共に、前記ランプモジュールは、前記ソケットを表側から見たときの受入口の形状に対応するように、前記張り出し部に相反する形状の切欠き部を有し、前記押圧手段が前記張り出し部により構成されていることを特徴とする。このとき、前記張り出し部の形状は、２種類以上あることを特徴としている。
【手続補正３】
【補正対象書類名】明細書
【補正対象項目名】００１０
【補正方法】変更
【補正の内容】
【００１０】
また、前記照明装置は、前記ソケットは、前記ランプモジュールが受け入れられた状態で回転したときに当該回転に連動して、当該ソケットを表側から見たときに前記受入口の内側に張り出す張り出し部を有すると共に、当該張り出し部に前記押圧手段が設けられていることを特徴とし、或いは、前記ソケットは、前記ランプモジュールが受け入れられた状態で回転したときに当該回転に連動して、当該ソケットを表側から見たときに前記受入口の内側に張り出すと共に前記受け入れ方向に弾性可能な張り出し部を有すると共に、前記押圧手段が当該張り出し部により構成されていることを特徴とする。
【手続補正４】
【補正対象書類名】明細書
【補正対象項目名】００１２
【補正方法】変更
【補正の内容】
【００１２】
前記ランプモジュールは、前記発光素子に接続された端子を前記基板の表面に備え、
前記押圧手段における前記ランプモジュールと接触する部分が、前記ランプモジュールに給電するための給電端子となっていることを特徴とする。
【手続補正５】
【補正対象書類名】明細書
【補正対象項目名】００１４
【補正方法】変更
【補正の内容】
【００１４】
一方、前記ランプモジュールの平面視形状は、略円状または、多角形状をしていることを特徴し、或いは、前記ソケット受底の略中心部に前記ランプモジュールの回転中心部を所定の位置に設定するガイド部分を有することを特徴とし、また、前記ソケットに熱的に結合している放熱具を備えていることを特徴とする。前記放熱具は、前記ランプモジュールから発せられた光を、前記基板の表側であって当該基板と直交する方向に集光させる笠部であることを特徴とする。